【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
黒鉛及び／又は非晶質炭素の粒子と活性炭粒子とを一体化した炭素複合材料を負極活物質層として集電体上に形成した負極板と、主にリチウムイオンの挿入離脱可能な正極活物質層とその正極活物質層の表層にイオンが物理的に吸脱着されることにより電荷を蓄積、放出する非ファラデー反応層とを集電体上に形成した正極板と、前記正極板と前記負極板との間に配置され、これらを電気的に絶縁し、可動イオンを通す絶縁層とを設けたことを特徴とするエネルギー貯蔵デバイス。
【請求項２】
黒鉛粒子及び／又は非晶質炭素粒子の表面の一部又は全部が活性炭粒子で覆われて一体化した炭素複合材料を負極活物質層を集電体上に形成した負極板と、集電体上に主にリチウムイオンの挿入離脱可能な正極活物質からなる正極活物質層を形成し、さらに前記正極活物質層の表層に、主に活物質表面にイオンが物理的に吸脱着されることにより電荷を蓄積、放出する非ファラデー反応層を形成した正極板と、前記正極板と前記負極板とを電気的に絶縁し、可動イオンを通す絶縁層を設けたことを特徴とするエネルギー貯蔵デバイス。
【請求項３】
上記非ファラデー反応層が主に活性炭からなる活性炭層であることを特徴とする請求項１又は２記載のエネルギー貯蔵デバイス。
【請求項４】
上記正極活物質はＬｉＮｉｘＭｎｙＣｏｚＯ２（ｘ＋ｙ＋ｚ＝１）及び遷移金属の複合酸化物からなる群から選ばれた1種以上を用いたことを特徴とする請求項１から３のいずれかに記載のエネルギー貯蔵デバイス。
【請求項５】
上記正極板と負極板の間にポリマー及び電解液を含むゲル状電解質を設けたことを特徴とする請求項１から４のいずれかに記載のエネルギー貯蔵デバイス。
【請求項６】
上記可動イオンの供給源としてＬｉ塩またはＬｉ化合物に加えて、
【化１】
2005332655.tif 000001
（Ｒ１，Ｒ２，Ｒ３，Ｒ４；Ｈまたは炭素数１〜３のアルキル基を表し、これらは同じでも異なっていても良い。Ｘ；ＮまたはＰ，Ｙ；Ｂ，Ｐ又はＡｓ，ｎは４または６）で示される第４級オニウムカチオン塩を含むことを特徴とする請求項１から５のいずれかに記載のエネルギー貯蔵デバイス。
【請求項７】
上記エネルギー貯蔵デバイスの複数個を直列、並列または直並列に接続し、前記複数個のエネルギー貯蔵デバイスを制御する制御回路を有することを特徴とする請求項１から６のいずれかに記載のエネルギー貯蔵デバイスモジュール。
【請求項８】
請求項７記載のモジュールによって供給される電力によって駆動される電動機を具備したことを特徴とする電気自動車。
【請求項９】
請求項７記載のモジュールによって供給される電力によって駆動される電動機及び内燃機関を具備したことを特徴とするハイブリッド式電気自動車。
【請求項１０】
黒鉛及び／又は非晶質炭素の粒子が活性炭粒子と一体化している炭素複合材料を負極活物質とする負極活物質層を集電体上に配した負極板と、集電体上に主に活物質表面にイオンが物理的に吸脱着されることで電荷を蓄積、放出する非ファラデー反応が起こる層を形成した正極板と、前記正極板と前記負極板とを電気的に絶縁し、可動イオンを通す絶縁層とを設けたことを特徴とするエネルギー貯蔵デバイス。
【請求項１１】
黒鉛粒子及び／又は非晶質炭素粒子の表面の一部又は全部が活性炭粒子で覆われて一体化した炭素複合材料を負極活物質層として集電体上に形成した負極板と、集電体上に主に活物質表面にイオンが物理的に吸脱着されることにより電荷を蓄積、放出する非ファラデー反応層を形成した正極板と、前記正極板と前記負極板とを電気的に絶縁し、主として可動イオンを通す絶縁層を設けたことを特徴とするエネルギー貯蔵デバイス。
【請求項１２】
上記非ファラデー反応層が主に活性炭からなる活性炭層であることを特徴とする請求項１０又は１１に記載のエネルギー貯蔵デバイス。
【請求項１３】
上記正極板と負極板の間にポリマー及び電解液を含むゲル状電解質を設けたことを特徴とする請求項９から１１のいずれかに記載のエネルギー貯蔵デバイス。
【請求項１４】
上記可動イオンの供給源としてＬｉ塩またはＬｉ化合物に加えて、
【化２】
2005332655.tif 000002
（Ｒ１，Ｒ２，Ｒ３，Ｒ４；Ｈまたは炭素数１〜３のアルキル基を表し、これらは同じでも異なっていても良い。Ｘ；ＮまたはＰ，Ｙ；Ｂ又はＰ，Ａｓ，ｎは４または６の整数）で示される第４級オニウムカチオン塩を含むことを特徴とする請求項１０から１３のいずれかに記載のエネルギー貯蔵デバイス。
【請求項１５】
請求項１０から１４のいずれかに記載のエネルギー貯蔵デバイスの複数個を直列、並列または直並列に接続し、前記複数個のエネルギー貯蔵デバイスを制御する制御回路を有することを特徴とするエネルギー貯蔵デバイスモジュール。
【請求項１６】
請求項１５記載のモジュールを搭載し、これによって供給される電力によって駆動される電動機を具備したことを特徴とする電気自動車。
【請求項１７】
黒鉛及び／又は非晶質炭素の粒子が活性炭粒子と一体化している炭素複合材料を正極活物質とする正極活物質層を集電体上に形成した正極板と、黒鉛及び／又は非晶質炭素の粒子が活性炭粒子と一体化している炭素複合材料を負極活物質とする負極活物質層を集電体上に形成した負極板と、前記正極板と前記負極板とを電気的に絶縁し、主として可動イオンを通す絶縁層とを設けたことを特徴とするエネルギー貯蔵デバイス。
【請求項１８】
黒鉛粒子及び／又は非晶質炭素粒子の表面の一部又は全部が活性炭粒子で覆われて一体化した炭素複合材料を正極活物質とする正極活物質層を集電体上に形成した正極板と、黒鉛粒子及び／又は非晶質炭素粒子の表面の一部全部が活性炭粒子で覆われて一体化した炭素複合材料を負極活物質とする負極活物質層を集電体上に形成した負極板と、前記正極板と前記負極板とを電気的に絶縁し、主として可動イオンを通す絶縁層とを設けたことを特徴とするエネルギー貯蔵デバイス。
【請求項１９】
上記正極板と負極板の間にポリマー及び電解液を含むゲル状電解質を設けたことを特徴とする請求項１７又は１８記載のエネルギー貯蔵デバイス。
【請求項２０】
上記可動イオンの供給源としてＬｉ塩またはＬｉ化合物に加えて、
【化３】
2005332655.tif 000003
（Ｒ１，Ｒ２，Ｒ３，Ｒ４；Ｈまたは炭素数１〜３のアルキル基を表し、これらは同じでも異なっていても良い。Ｘ；ＮまたはＰ，Ｙ；Ｂ，Ｐ又はＡｓ，ｎは４または６の整数）で示される第４級オニウムカチオン塩を含むことを特徴とする請求項１７又は１８のいずれかに記載のエネルギー貯蔵デバイス。
【請求項２１】
請求項１７から２０のいずれかに記載のエネルギー貯蔵デバイスの複数個を直列、並列または直並列に接続し、前記複数個のエネルギー貯蔵デバイスを制御する制御回路を有することを特徴とするエネルギー貯蔵デバイスモジュール。
【請求項２２】
請求項２１記載のモジュールを搭載し、これによって供給される電力によって駆動される電動機を具備したことを特徴とする電気自動車。
【請求項２３】
請求項２１記載のモジュールを搭載し、これによって供給される電力によって駆動される電動機及び内燃機関を具備したことを特徴とするハイブリッド式電気自動車。
【請求項２４】
前記炭素複合材料が、２−５ｎｍの細孔を有することを特徴とする請求項１又は２記載のエネルギー貯蔵デバイス。
【請求項２５】
前記炭素複合材料が、２−５ｎｍの細孔を有することを特徴とする請求項１０又は１１記載のエネルギー貯蔵デバイス。
【請求項２６】
前記炭素複合材料が、２−５ｎｍの細孔を有することを特徴とする請求項１７又は１８記載のエネルギー貯蔵デバイス。